(57)【特許請求の範囲】
【請求項１】
演奏手段と、再生手段と、中間時刻テーブルと、レジスタと、制御手段とを備えるカラオケ装置であって、
演奏手段は、カラオケ曲を演奏可能とし、
再生手段は、複数の記憶媒体から映像データを再生可能とし、
記憶媒体は、複数の映像データを記憶し、
中間時刻テーブルは、各映像データのそれぞれに中間時刻を対応づけ、
レジスタは、いずれか１の記憶媒体を指定、及び、先頭とするのか中間とするのかを指定する内容を保持し、
制御手段は、入力手段により選択されたカラオケ曲を演奏手段に演奏させると共に、映像決定処理と、更新処理を行い、
映像決定処理は、レジスタが指定する記憶媒体より、選択されたカラオケ曲に対する映像データを決定すると共に、
レジスタが先頭を指定している場合には先頭から、レジスタが中間を指定している場合には中間時刻テーブルに基づいて当該決定した映像データに対応する中間時刻から、当該決定した映像データを再生手段に再生させ、
更新手段は、カラオケ曲の演奏毎にレジスタの内容を更新させる、
カラオケ装置。
【発明の詳細な説明】
【０００１】
【発明の属する技術分野】
この発明は、カラオケ曲の演奏時にそのカラオケ曲の雰囲気にあった背景映像（ＢＧＶ：バックグラウンド映像）を表示するカラオケ装置に関する。
【０００２】
【従来の技術】
カラオケ装置は、演奏するカラオケ曲の雰囲気を盛り上げるため、その曲に合わせたＢＧＶを表示するようにしている。近年の通信カラオケ装置では、曲を演奏するための楽曲データとＢＧＶを表示するための映像データが別体になっており、演奏される曲のジャンルなどに応じて適した映像データを選択して再生するようにし、同じジャンルに対して複数の映像データを記憶することにより、同じ曲を複数回演奏してもその都度異なるＢＧＶが再生されるようになっている。
【０００３】
また、カラオケ曲の大部分は５分以内の演奏時間であるが、メドレー曲などは１０分近くの演奏時間になり、ＢＧＶ用の映像データはこの長い曲に対応できるように１０分程度の長さの映像に編集されている。
【０００４】
【発明が解決しようとする課題】
しかし、カラオケ装置に記憶しているＢＧＶの数にも限度があるため、何度も同じジャンルの曲を演奏していると同じＢＧＶが再生される場合があった。ＢＧＶのデータ数を多くすれば同じＢＧＶが再生される確率を低くすることができるが、ＢＧＶデータを記憶するディスクの枚数を増やす必要があるなど装置のコストアップにつながるため好ましいことではなかった。
【０００５】
また、従来のカラオケ装置では、カラオケ曲の演奏開始に合わせて必ず映像データの先頭から再生されるようになっていたため、大部分の曲（５分以内の曲）の演奏では映像データの前半が再生されるのみで、後半が活用されていないという問題点があった。
【０００６】
この発明は、ＢＧＶを途中から再生することにより、少ないデータ数で映像に変化をもたせ、且つ、長い映像データの有効活用を図ることのできるカラオケ装置を提供することを目的とする。
【０００７】
【課題を解決するための手段】
この発明は、演奏手段と、再生手段と、中間時刻テーブルと、レジスタと、制御手段とを備えるカラオケ装置であって、演奏手段は、カラオケ曲を演奏可能とし、再生手段は、複数の記憶媒体から映像データを再生可能とし、記憶媒体は、複数の映像データを記憶し、中間時刻テーブルは、各映像データのそれぞれに中間時刻を対応づけ、レジスタは、いずれか１の記憶媒体を指定、及び、先頭とするのか中間とするのかを指定する内容を保持し、制御手段は、入力手段により選択されたカラオケ曲を演奏手段に演奏させると共に、映像決定処理と、更新処理を行い、映像決定処理は、レジスタが指定する記憶媒体より、選択されたカラオケ曲に対する映像データを決定すると共に、レジスタが先頭を指定している場合には先頭から、レジスタが中間を指定している場合には中間時刻テーブルに基づいて当該決定した映像データに対応する中間時刻から、当該決定した映像データを再生手段に再生させ、更新手段は、カラオケ曲の演奏毎にレジスタの内容を更新させることを特徴とする。
【０００８】
この発明では、カラオケ曲の演奏に合わせてＢＧＶを表示するが、再生位置決定手段がＢＧＶ表示用の映像データの再生開始位置を決定し、その位置から再生を開始する。再生開始位置は、先頭，中間点など種々設定することができ、再生開始位置決定手段はこれらの再生開始位置から１つを決定する。これにより、同じ映像データであっても再生開始位置が異なれば異なった雰囲気の映像となり、少ない映像データでＢＧＶの表示に変化をつけることができる。また、映像データの再生時間がカラオケ曲の演奏時間よりも長い場合には、通常は活用されない後半部の映像を活用することができる。
【０００９】
【発明の実施の形態】
図面を参照してこの発明の実施形態であるカラオケ装置について説明する。図１は同カラオケ装置のブロック図である。図２は同カラオケ装置のハードディスク記憶装置１７に記憶された映像テーブルの構成を示す図である。
【００１０】
このカラオケ装置は、利用者のリクエストに基づいてカラオケ曲を演奏し、このカラオケ曲の演奏と並行してモニタに背景映像（ＢＧＶ：バックグラウンドビデオ）を表示する。ＢＧＶを再生するためのＢＧＶデータはＭＰＥＧ圧縮された動画データであり、複数枚（この実施形態では２枚）のビデオＣＤに十数シーンずつが記録されている。これらのビデオＣＤはカートリッジに収納され、ＣＤ−ＲＯＭチェンジャ４にセットされる。
【００１１】
外付け装置であるＣＤ−ＲＯＭチェンジャ４には５枚のＣＤ−ＲＯＭを収納することができ、ＣＰＵ１０からの指示に応じてそのうちの１枚をターンテーブルにセットして内容を読み出す。５枚のＣＤ−ＲＯＭのうち２枚がＢＧＶデータを記録したビデオＣＤ（ＢＧＶディスク１，ＢＧＶディスク２）であり、あとの３枚が定番となったカラオケ曲の楽曲データを記憶したＣＤ−ＲＯＭである。ＣＤ−ＲＯＭに記憶されている楽曲データを演奏する場合、ＣＤ−ＲＯＭチェンジャ４は、まず楽曲データが記憶されているＣＤ−ＲＯＭをターンテーブルにセットして楽曲データをハードディスク記憶装置１７およびＲＡＭ１２に読み出し、こののち、ＢＧＶ用のビデオＣＤをターンテーブルにセットしてＢＧＶデータを読み出しながら、楽曲データに基づくカラオケ曲の演奏を実行する。ハードディスク記憶装置１７に記憶されている楽曲データを演奏する場合には、この楽曲データをＲＡＭ１２に読み出したのち、ビデオＣＤを再生しながらカラオケ演奏を実行する。
【００１２】
ここで、再生するＢＧＶデータはインデックスファイルおよびＢＧＶ選択レジスタ１２ａに基づいて決定する（詳細は後述する）。ここで、ＢＧＶデータは、メドレー曲（複数の曲をつないで１曲に編集してあるカラオケ曲）などの長い曲に対応するため、約１０分間の再生時間を有するデータとされているが、通常のカラオケ曲は３〜４分程度である。そこで、このカラオケ装置では、ＢＧＶデータの先頭からの再生と途中（中間点）からの再生とを交互に行い、ＢＧＶデータの後半部を有効に利用できるようにしている。
【００１３】
図１において、このカラオケ装置は、カラオケ装置本体１，コントロールアンプ２，音声信号処理装置３，ＣＤ−ＲＯＭチェンジャ４，スピーカ５，モニタ６，マイク７および赤外線のリモコン装置８で構成されている。カラオケ装置本体１はこのカラオケ装置全体の動作を制御する。該カラオケ装置本体１の制御装置であるＣＰＵ１０には、内部バスを介してＲＯＭ１１，ＲＡＭ１２，ハードディスク記憶装置１７，通信制御部１６，リモコン受信部１３，表示パネル１４，パネルスイッチ１５，音源装置１８，音声データ処理部１９，文字表示部２０，表示制御部２１が接続されるとともに、上記外部装置であるコントロールアンプ２，音声信号処理装置３およびＣＤ−ＲＯＭチェンジャ４がインタフェースを介して接続されている。
【００１４】
ＲＯＭ１１にはこの装置を起動するために必要な起動プログラムなどが記憶されている。装置の動作を制御するシステムプログラム，カラオケ演奏実行プログラムなどはハードディスク記憶装置１７に記憶されている。カラオケ装置の電源がオンされると上記起動プログラムによってシステムプログラムやカラオケ演奏プログラムがＲＡＭ１２に読み込まれる。ＲＡＭ１２には、ハードディスク記憶装置１７からプログラムを読み込むエリア、選曲されたカラオケ曲の楽曲データを読み込むエリアなどが設定されているほか、選曲されたカラオケ曲に合わせてどのＢＧＶを選択するかを指示するＢＧＶ選択レジスタ１２ａも設定されている。このＢＧＶ選択レジスタ１２ａについては後述する。
【００１５】
ハードディスク記憶装置１７には、数千曲分の楽曲データを記憶できる楽曲データ記憶エリア、上記プログラムを記憶するプログラム記憶エリアが設定されているほか、各楽曲データとＢＧＶデータの対応を指示するインデックスファイル（図２（Ａ）参照）、各ＢＧＶデータの中間点の時刻データを記憶した中間時刻テーブル（図２（Ｂ）参照）などが設定されている。
【００１６】
図２（Ａ）において、インデックスファイルには各楽曲データの曲番号とこの楽曲データのジャンルなどに基づいて、ＢＧＶディスク１，ＢＧＶディスク２から１シーンずつ選択されたＢＧＶデータのシーン番号が対応して記憶されている。このインデックスファイルは新たな楽曲データやＢＧＶデータが登録される毎にオンラインまたは係員処理によって更新される。また、図２（Ｂ）おいて、中間時刻テーブルには、ＢＧＶディスク１，ＢＧＶディスク２に記録されている各ＢＧＶデータ（シーン）の中間時刻データが記憶されている。時刻データはディスクの先頭から当該シーンの中間点までの時間で表されている。中間点は各ＢＧＶデータの物理的に正確な中間点ではなく、ほぼ中間の区切りの良いタイミングに設定される。この中間時刻テーブルは新たなＢＧＶディスクがセットされる毎に更新される。
【００１７】
このカラオケ装置は、カラオケ曲の演奏時にＢＧＶを再生するとき、並行して再生するＢＧＶデータをＢＧＶディスク１から選択するかＢＧＶディスク２からら選択するかを前記ＢＧＶ選択レジスタ１２ａの内容に基づいて決定するとともに、該選択されたＢＧＶデータを先頭から再生するか中間点から再生するかをＢＧＶ選択レジスタ１２ａの内容に基づいて決定する。すなわち、ＢＧＶ選択レジスタには「１先頭（ＢＧＶディスク１から選択されたＢＧＶデータの先頭から再生する）」、「２先頭（ＢＧＶディスク２から選択されたＢＧＶデータの先頭から再生する）」、「１中間（ＢＧＶディスク１から選択されたＢＧＶデータの中間点から再生する）」、「２中間（ＢＧＶディスク２から選択されたＢＧＶデータの中間点から再生する）」のいずれかが記憶されており、１曲のカラオケ曲演奏が実行される毎にこの内容が更新される。たとえば、１曲の演奏毎に「１先頭→２先頭→１中間→２中間→」の順に内容が更新される。
【００１８】
通信制御部１６はＩＳＤＮ回線を介して配信センタ９と接続される。配信センタ９からは、楽曲データや前記再生期間管理ファイルなどがダウンロードされる。ダウンロードされたデータはハードディスク記憶装置１７に書き込まれる。この書込動作はＤＭＡ回路を用いてハードディスク記憶装置１７に直接行われる。
リモコン装置８は、テンキーなどのキースイッチを備えており、利用者がこれらのスイッチを操作するとその操作に応じたコード信号が赤外線で出力される。リモコン受信部１３はリモコン装置８から送られてくる赤外線信号を受信して、そのコード信号を復元しＣＰＵ１０に入力する。カラオケ装置本体１は、リモコン装置８から曲番号が入力されると、これをリクエストであると判断し、この曲番号をＲＡＭ１２に設定されている予約リストに登録する。ＣＰＵ１０は予約リストに曲番号が登録されているとき、先頭から順にこの曲番号で指定されるカラオケ曲を演奏する。
【００１９】
表示パネル１４はこのカラオケ装置本体１の前面に設けられており、現在演奏中の曲番号や予約曲数を表示するマトリクス表示器や、現在設定されているキーやテンポを表示するＬＥＤ群などを含んでいる。パネルスイッチ１５は、前記リモコン装置８と同様の曲番号入力用のテンキーやキーチェンジスイッチ、テンポチェンジスイッチを備えている。
【００２０】
音源装置１８は、楽曲データの楽音トラックのデータに基づいて楽音信号を形成する。楽音トラックは、複数のトラックを有しており、音源装置１８はこのデータに基づいて複数パートの楽音信号を同時に形成する。音声データ処理部１９は、楽曲データに含まれる音声データに基づき、指定された長さ、指定された音高の音声信号を形成する。音声データは、バックコーラスなどの人声など電子的に形成しにくい信号波形をそのままＰＣＭ信号として記憶したものである。前記音源装置１８が形成した楽音信号および音声データ処理部１９が再生した音声信号は、コントロールアンプ２に入力される。コントロールアンプ２には、２本のマイク７ａ，７ｂが接続されており、カラオケ歌唱者の歌唱音声信号が入力される。コントロールアンプ２はこれらのオーディオ信号に、それぞれエコーなど所定の効果を付与したのち増幅してスピーカ５に出力する。音声信号処理装置３は、コントロールアンプ２から入力された歌唱音声信号をディジタル処理することにより、音程のずれを修正したり、他のパートのハーモニー歌唱を作成したりする。修正された歌唱音声信号および作成された他のパートのハーモニー歌唱信号は再度コントロールアンプ２に入力される。
【００２１】
文字表示部２０は入力される文字データに基づいて歌詞などの文字パターンを生成する。生成された文字パターンデータは表示制御部２１に入力される。ＣＤ−ＲＯＭチェンジャ４から読み出されＭＰＥＧ圧縮を伸長されたＢＧＶ映像データも表示制御部２１に入力される。表示制御部２１は、前記文字表示部２０から入力される歌詞などの文字パターンを上記ＢＧＶ映像に合成してモニタ６に表示する。
【００２２】
以上の構成のカラオケ装置において、カラオケ曲のリクエストがあると、このリクエスト曲の楽曲データがハードディスク記憶装置１７またはＣＤ−ＲＯＭチェンジャ４に収納されているＣＤ−ＲＯＭのどちらに記憶されているかを検索し、該当の記憶媒体からこの楽曲データを読み出す。そして、この曲に対応してどのＢＧＶを再生するかをインデックスファイルおよびＢＧＶ選択レジスタ１２ａに基づいて決定し、このＢＧＶデータをＣＤ−ＲＯＭチェンジャ４によって読み出しながらカラオケ曲の演奏を実行する。
【００２３】
図３は同カラオケ装置のカラオケ演奏実行動作を示すフローチャートである。リモコン装置８などから曲番号が入力され、カラオケ曲のリクエストがあると、この曲番号をリモコン受信部１３などから読み込み（ｓ１）、この曲番号で識別される楽曲データをＲＡＭ１２に読み出す（ｓ２）。この楽曲データがハードディスク記憶装置１７に記憶されている場合にはハードディスク記憶装置１７からＲＡＭ１２に直接読み出し、この楽曲データがＣＤ−ＲＯＭに記憶されている場合にはＣＤ−ＲＯＭチェンジャ４のターンテーブルにこのＣＤ−ＲＯＭをセットし該当の楽曲データをハードディスク記憶装置１７に一旦読み出したのち、ハードディスク記憶装置１７からＲＡＭ１２に読み出す。
【００２４】
こののち、ＢＧＶ選択レジスタ１２ａを参照し、今回のＢＧＶはＢＧＶディスク１，ＢＧＶディスク２のどちらから読み出す順番であるかを判断して、ディスクを選択する（ｓ３）。選択されたディスクをＣＤ−ＲＯＭチェンジャ４のターンテーブルにセットし（ｓ４）、リクエストされた曲番号および選択されたディスク番号でインデックスファイルを検索して対応するシーン（ＢＧＶデータ）番号を読み出す（ｓ５）。そして、再度ＢＧＶ選択レジスタを参照し、このＢＧＶデータの先頭から再生するか中間点から再生するかを判断する（ｓ６）。先頭からと指定された場合には、上記ＢＧＶデータの先頭からＢＧＶ映像の再生をスタートするとともに（ｓ７）、カラオケ曲の演奏をスタートする（ｓ１０）。一方、中間点からと指定された場合には、選択されているシーン番号で中間時刻テーブルを参照し、再生スタート点を示す時刻データを読み出す（ｓ８）。そしてこの指示された中間点から再生をスタートするとともに（ｓ９）、カラオケ曲の演奏をスタートする（ｓ１０）。カラオケ曲の演奏がスタートするとＢＧＶ選択レジスタを更新する（ｓ１１）。すなわち、「１先頭→２先頭→１中間→２中間→」の順に内容を歩進させる。こののち曲が終了するまでＢＧＶ映像の再生を継続し、曲が終了すると（ｓ１２）ＢＧＶ再生を停止する（ｓ１４）が、５分以上の長い曲の演奏においてＢＧＶデータを途中から再生した場合にはＢＧＶデータが先に終了してしまう場合がある。このような場合には（ｓ１３）、このＢＧＶデータの先頭に戻って再生を継続する（ｓ１５）。この場合、ＢＧＶデータを先頭から再生できるようになるまでの間最後の映像を静止画として再生しておけばよい。
【００２５】
このように、カラオケ曲の演奏と並行して再生されるＢＧＶ映像の半分がＢＧＶデータの中間点からのものであるため、データの種類が少なくても多彩なＢＧＶ映像の再生が可能になる。
【００２６】
図４は上記カラオケ演奏実行動作の他の例を示すフローチャートである。この動作は、カラオケ曲の演奏をスタートする前に事前にその曲が５分以上の曲であるかを判断し、５分以上の曲である場合にはＢＧＶ選択レジスタの内容にかかわらずＢＧＶデータの先頭から再生するようにしている点で上記動作と異なっている。同図において、カラオケ曲のリクエストがあると、この曲番号をリモコン受信部１３などから読み込み（ｓ２１）、この曲番号で識別される楽曲データをＲＡＭ１２に読み出す（ｓ２２）。こののち、ＢＧＶ選択レジスタ１２ａを参照し、今回の演奏のＢＧＶにＢＧＶディスク１，ＢＧＶディスク２のどちらを用いるかを選択する（ｓ２３）。選択されたディスクをＣＤ−ＲＯＭチェンジャ４のターンテーブルにセットし（ｓ２４）、リクエストされた曲番号および選択されたディスク番号でインデックスファイルを検索して対応するシーン（ＢＧＶデータ）番号を読み出す（ｓ２５）。そして、このカラオケ曲がメドレー曲などの５分以上の長い曲であるかを判断する（ｓ２６）。５分以上の曲であればＢＧＶ選択レジスタ１２ａの内容にかかわらず先頭から再生をスタートする（ｓ２８）。一方、５分以下の短い曲の場合には、再度ＢＧＶ選択レジスタを参照し、このＢＧＶデータの先頭から再生するか中間点から再生するかを判断する（ｓ２７）。先頭からと指定された場合には、上記ＢＧＶデータの先頭からＢＧＶ映像の再生をスタートする（ｓ２８）。このＢＧＶ映像の再生スタートと同時にカラオケ曲の演奏もスタートする（ｓ３１）。一方、中間点からと指定された場合には、選択されているシーン番号で中間時刻テーブルを参照し、再生スタート点を示す時刻データを読み出す（ｓ２９）。そしてこの指示された中間点から再生をスタートするとともに（ｓ３０）、カラオケ曲の演奏をスタートする（ｓ３１）。カラオケ曲の演奏がスタートするとＢＧＶ選択レジスタを更新する（ｓ３２）。すなわち、「１先頭→２先頭→１中間→２中間→」の順に内容を歩進させる。こののち曲が終了するまでＢＧＶ映像の再生を継続し、曲が終了するとＢＧＶ再生を停止する。
【００２７】
なお、上記実施形態では、「１先頭→２先頭→１中間→２中間→」の順に再生して２枚のＣＤ−ＲＯＭを交互に再生するようにしているが、「１先頭→１中間→２先頭→２中間→」としてＣＤ−ＲＯＭのチェンジを２回に１回にすることもできる。また、ＣＤ−ＲＯＭの枚数は２枚に限定されず、３枚以上でも１枚のみでもよい。さらに、ＢＧＶデータを記憶している媒体はＣＤ−ＲＯＭに限定されず、ＤＶＤやハードディスクであってもよい。
【００２８】
さらに、再生開始位置は、先頭および中間点に限らない。また、選択肢の数も先頭，中間点の２か所に限定されず３か所以上に設定してもよい。
【００２９】
【発明の効果】
以上のようにこの発明によれば、カラオケ曲の演奏と並行して背景映像を表示するとき、映像データの先頭のみならず途中の点から表示を開始できるようにしたことにより、少ない映像データで表示内容に変化をつけることができる。
【００３０】
また、長い曲に合わせて作成されている映像データを途中から再生するようにしたことにより、殆ど再生されることのない映像データの後半部を有効利用することができる。
【図面の簡単な説明】
【図１】この発明の実施形態であるカラオケ装置のブロック図
【図２】同カラオケ装置のハードディスク記憶装置に記憶されるインデックスファイル、中間時刻テーブルの構成を示す図
【図３】同カラオケ装置のカラオケ実行動作を示すフローチャート
【図４】同カラオケ装置のカラオケ実行動作を示すフローチャート
【符号の説明】
４…ＣＤ−ＲＯＭチェンジャ、
１２…ＲＡＭ、１２ａ…ＢＧＶ選択レジスタ、
１７…ハードディスク記憶装置、
１７ａ…インデックスファイル、１７ｂ…中間時刻テーブル
【図１】
0003591227.tif 000002
【図２】
0003591227.tif 000003
【図３】
0003591227.tif 000004
【図４】
0003591227.tif 000005